(57)【要約】【課題】  ブラシロールの寿命を延ばすとともに、少ない洗浄液の使用量でブランケット胴の洗浄を十分に確保する。【解決手段】  スクレーパ２８を非食い込み状態にしたブラシロール２２をブランケット胴１０に接触回転させ、ブラシロール２２に洗浄液供給手段２４から洗浄液を供給しながらブランケット胴１０をブラシ洗浄するブランケット洗浄工程と、このシリンダ洗浄工程後のブラシロール２２をブランケット胴１０から離間させて回転させつつ、スクレーパ２８をブラシロール２２に食い込ませることによってブラシロール２２に付着した汚れを除去するブラシロール浄化工程とを繰り返す。【選択図】    図１
2006150756.tif 000002
【特許請求の範囲】
【請求項１】
スクレーパを非食い込み状態にしたブラシロールをブランケット胴に接触回転させ、前記ブラシロールに洗浄液を供給しながら前記ブランケット胴をブラシ洗浄するブランケット洗浄工程と、このシリンダ洗浄工程後のブラシロールを前記ブランケット胴から離間させて回転させつつ、前記スクレーパを前記ブラシロールに食い込ませることによってブラシロールに付着した汚れ及び洗浄液を除去するブラシロール浄化工程とを含むことを特徴とする印刷用ブランケット胴の洗浄方法。
【請求項２】
前記ブランケット洗浄工程とブラシロール浄化工程とを繰り返すことを特徴とする請求項１に記載の印刷用ブランケット胴の洗浄方法。
【請求項３】
前記ブランケット洗浄工程では前記ブラシロールをブランケット胴に対して逆回転モードで回転させ、前記ブラシロール浄化工程では前記スクレーパによって除去した汚れ及び洗浄液を受皿に回収し易い方向に前記ブラシロールを回転させることを特徴とする請求項１又は請求項２に記載の印刷用ブランケット胴の洗浄方法。
【請求項４】
ブランケット胴に対して接離自在なブラシロールと、このブラシロールに洗浄液を供給可能な洗浄液供給手段と、前記ブラシロールに対する位置が非食い込み位置又は食い込み位置のいずれかに切替え可能なスクレーパとを具備し、前記ブランケット胴の洗浄時には前記ブラシロールをブランケット胴に接触回転させ、かつ前記スクレーパをブラシロールに対して非食い込み位置となるように制御し、前記ブラシロールの浄化時にはブラシロールを前記ブランケット胴から離間した状態で回転させ、かつ前記スクレーパをブラシロールに対して食い込み位置となるように制御する手段を設けたことを特徴とする印刷用ブランケット胴の洗浄装置。
【請求項５】
前記ブラシロールの回転方向が正逆に切替え可能とされ、前記ブランケット胴の洗浄時には前記ブラシロールをブランケット胴に対して逆回転モードで回転させるようにしたことを特徴とする請求項４に記載の印刷用ブランケット胴の洗浄装置。
【発明の詳細な説明】
【技術分野】
【０００１】
本発明は印刷用ブランケット胴の洗浄方法及びその装置に係り、特にブラシロールを印刷用ブランケット胴の表面に回転接触させてブランケット胴を洗浄するための印刷用ブランケット胴の洗浄方法及びその装置に関する。
【背景技術】
【０００２】
ブラシロールによる印刷用ブランケット胴の洗浄手順を強いて分解すると、ブランケット洗浄工程とブラシロール浄化工程に分けることができる。ブランケット洗浄工程では洗浄液を含ませたブラシロールをブランケット胴に回転接触させ、ブランケット胴の表面に付着したインク、紙粉、塵埃などの異物をブラッシングによって除去する。その結果、ブラシロール側に異物が移行し、ブラシロールが汚れる。このため、ブラシロール浄化工程ではブラシロール自体を洗浄し、ブラシ面を常に清浄にすることによって、次のブランケット洗浄工程に備えるようにしている。ブラシロール浄化の一般的な方法は、スクレーパを回転するブラシロール内に食い込ませる方法が採用されている。この方法によれば、ブラシ繊維がスクレーパを通過する際に、ブラシ繊維に付着した汚れが洗浄液とともに掻き落とされる。
【０００３】
ブラシロールによる印刷用ブランケット胴の洗浄では、上記ブランケット洗浄工程とブラシロール浄化工程とを円滑に進行させることが重要な課題となる。特にスクレーパは前記したように洗浄液の掻き落とし作用があるため、ブランケット胴を洗浄するためにブラシロールに供給した洗浄液がブランケット胴表面に十分に行きわたる前にスクレーパによって弾き飛ばされて無駄になるという問題が常に内在する。
【０００４】
このような問題を解決するために、特許文献１にはブランケット洗浄工程ではスクレーパがブラシロールに食い込まないようにした構成が記載されている。また、特許文献２や特許文献３にはブランケット胴に洗浄液を塗布する工程ではブレード（又はスクレーパ）をブラシロールから離反させ、ブランケット胴を洗浄する工程ではブレード（スクレーパ）をブラシロールに接触させる（又は食い込ませる）構成が記載されている。
【特許文献１】実公平４−２７６４９号公報
【特許文献２】特開２００１−３１５３１３号公報
【特許文献３】特開２００３−１１３３３号公報
【発明の開示】
【発明が解決しようとする課題】
【０００５】
しかしながら、従来のブラシロールによる印刷用ブランケット胴の洗浄方法は、いずれもブランケット洗浄工程では勿論のこと、ブラシロール浄化工程においてもブラシロールがブランケット胴に対して常時、接触回転する構成である。このため、ブラシロールに植毛したブラシ繊維の磨耗やへたりがその分、大きくなり、ブラシロールの寿命が短くなるという欠点があった。また、特許文献２や特許文献３に記載された構成は、洗浄液塗布工程後のブランケット洗浄工程でブラシロール浄化工程が同時に進行するため、スクレーパによるブラシロールからの洗浄液の掻き落とし作用が大きい。このため、ブランケット胴に塗布する洗浄液が早々と掻き落とされて、ブランケット胴の洗浄を十分に確保できないという欠点がある。このような欠点を改善するためにブランケット洗浄工程においてもブラシロールに洗浄液を供給し続けると洗浄液の使用量に無駄が生じ、洗浄排液を処理するための負荷もその分、増加する。
【０００６】
本発明の目的は前記従来技術の欠点を改善し、ブラシロールの寿命を延ばすとともに、少ない洗浄液の使用量でブランケット胴の洗浄を十分に確保することができる印刷用ブランケット胴の洗浄方法及びその装置を提供することにある。
【課題を解決するための手段】
【０００７】
上記目的を達成するために、本発明に係る印刷用ブランケット胴の洗浄方法は、スクレーパを非食い込み状態にしたブラシロールをブランケット胴に接触回転させ、前記ブラシロールに洗浄液を供給しながら前記ブランケット胴をブラシ洗浄するブランケット洗浄工程と、このシリンダ洗浄工程後のブラシロールを前記ブランケット胴から離間させて回転させつつ、前記スクレーパを前記ブラシロールに食い込ませることによってブラシロールに付着した汚れ及び洗浄液を除去するブラシロール浄化工程とを含むことを特徴とする。
【０００８】
上記方法において、前記ブランケット洗浄工程とブラシロール浄化工程とを繰り返すことが望ましい。また、前記ブランケット洗浄工程では前記ブラシロールをブランケット胴に対して逆回転モードで回転させ、前記ブラシロール浄化工程では前記スクレーパによって除去した汚れ及び洗浄液を受皿に回収し易い方向に前記ブラシロールを回転させることが望ましい。
【０００９】
また、本発明に係る印刷用ブランケット胴の洗浄装置は、ブランケット胴に対して接離自在なブラシロールと、このブラシロールに洗浄液を供給可能な洗浄液供給手段と、前記ブラシロールに対する位置が非食い込み位置又は食い込み位置のいずれかに切替え可能なスクレーパとを具備し、前記ブランケット胴の洗浄時には前記ブラシロールをブランケット胴に接触回転させ、かつ前記スクレーパをブラシロールに対して非食い込み位置となるように制御し、前記ブラシロールの浄化時にはブラシロールを前記ブランケット胴から離間した状態で回転させ、かつ前記スクレーパをブラシロールに対して食い込み位置となるように制御する手段を設けたことを特徴とする。
【００１０】
上記装置において、前記ブラシロールの回転方向が正逆に切替え可能とされ、前記ブランケット胴の洗浄時には前記ブラシロールをブランケット胴に対して逆回転モードで回転させるようにすることが望ましい。
【発明の効果】
【００１１】
本発明によれば、ブランケット洗浄工程ではスクレーパを非食い込み状態にしたブラシロールによってブランケット胴をブラシ洗浄するので、洗浄液がスクレーパによって掻き落とされることがなく、洗浄液の使用量が少ない効率のよいブランケット洗浄を行うことができる。また、ブラシロール浄化工程ではブラシロールをブランケット胴から離間させるので、この間のブラシロールに植毛されたブラシ繊維の磨耗、へたりを軽減でき、ブラシロールの寿命を延ばすことができる。また、ブランケット洗浄工程とブラシロール浄化工程がそれぞれ独立しているので、各工程に必要な時間を任意の最適な値に設定できる。
【発明を実施するための最良の形態】
【００１２】
図１は本発明の第１実施形態を示す側断面図であり、図１（１）はブランケット洗浄工程、図１（２）はブラシロール浄化工程の状況を示している。ブランケット胴１０に近接してブランケット洗浄装置１２が配設される。ブランケット胴１０は例えば図２に示したような片面４色刷サテライト型オフセット印刷機１４に配置される。すなわち、このオフセット印刷機１４は圧胴１６の周囲にサテライト状に１色目ブランケット胴１０Ａ、２色目ブランケット胴１０Ｂ、３色目ブランケット胴１０Ｃ、４色目ブランケット胴１０Ｄが配置される。各ブランケット胴１０はそれぞれの版胴１８Ａ、１８Ｂ、１８Ｃ、１８Ｄから転写した各色のインクを圧胴１６に沿って流れる紙面２０に印刷する。
【００１３】
印刷時に各ブランケット胴１０にはインク、紙粉、塵埃などの異物が付着するので、版胴１８の刷版を取り替える際や印刷の中間時点で各ブランケット胴１０の表面を洗浄する。この洗浄のために各ブランケット胴１０に近接してブランケット洗浄装置１２がそれぞれ配設される。図２に示した状態では圧胴１６が右回転しており、この圧胴１６の回転方向に合わせるために各ブランケット胴１０は左回転する。この各ブランケット胴１０の回転は個々のブランケット洗浄装置１２を主体として観察すると、１色目ブランケット胴１０Ａと２色目ブランケット胴１０Ｂは下方から上方に向かって回転し、３色目ブランケット胴１０Ｃと４色目ブランケット胴１０Ｄは上方から下方に向かって回転している。
【００１４】
図１に示したブランケット胴１０は図２における１色目ブランケット胴１０Ａと２色目ブランケット胴１０Ｂを例示しており、下方から上方に向かって回転している。ブランケット洗浄装置１２はブランケット胴１０の中心軸と平行に細長い構造とされ、図示しない駆動機構によって矢印Ａ又は矢印Ｂの方向に進退自在とされる。ブランケット洗浄装置１２の内部には、ブランケット胴１０と平行に位置し正逆に回転自在なブラシロール２２と、このブラシロール２２に洗浄液を噴射する洗浄液供給手段２４と、支軸２６を支点として揺動可能なスクレーパ２８が配備されている。ブラシロール２２の正逆回転手段としてはコンパクトかつ制御性がよいエアモータが好ましく用いられる。スクレーパ２８はブラシロール２２と平行に配された断面Ｌ字状の細長い部材である。なお、ブランケット洗浄装置１２の底部は洗浄液の受皿とされている。
【００１５】
上記構成のブランケット洗浄装置１２による洗浄手順は、ブランケット洗浄工程とブラシロール浄化工程に明確に区分される。ブランケット洗浄工程では図１（１）に示したようにブランケット洗浄装置１２をブランケット胴１０に近づけ、ブラシロール２２をブランケット胴１０に接した状態で回転させる。ブラシロール２２の回転方向はブランケット胴１０の回転方向と逆になるように、すなわちブランケット胴１０に対して逆回転モードで左回転させる。その結果、ブラシロール２２とブランケット胴１０間の相対速度が上昇し、ブラシ洗浄作用が向上する。このブランケット洗浄工程では洗浄液供給手段２４から連続的又は間欠的にブラシロール２２に向けて洗浄液を噴射する。すると、洗浄液はブラシロール２２を介してブランケット胴１０に塗布され、ブランケット胴１０に付着したインクが洗浄液によって溶解するとともに、紙粉や塵埃も洗浄液に混ざった状態でブラシ洗浄される。ブランケット洗浄工程では、図示のようにスクレーパ２８の一端がブラシロール２２から離間して、掻き落とし作用が実質的にない状態になる。すなわち、スクレーパ２８がブラシロール２２に対して非食い込み位置となる。その結果、洗浄液供給手段２４からブラシロール２２に供給された洗浄液はスクレーパ２８によって掻き落とされることなく、ほぼ全量がブランケット胴１０に移行して効率のよいブラシ洗浄が行われる。
【００１６】
上記のブランケット洗浄工程を所定時間実施した後に、ブラシロール浄化工程に移る。すなわち、ブランケット洗浄装置１２全体を図示しない駆動機構によって矢印Ａ方向に横移動させてブランケット胴１０から引き離し、図１（２）に示したようにブラシロール２２をブランケット胴１０から離間させる。このブランケット洗浄装置１２全体の横移動に伴い図示しないリンク機構によって支軸２６が回転し、スクレーパ２８の一端がブラシロール２２に対して食い込み位置となる。そして、ブラシロール２２の回転方向はスクレーパ２８によって除去した汚れ及び洗浄液を受皿３０に回収し易い方向に右回転させる。このブラシロール浄化工程では通常は洗浄液供給手段２４からの洗浄液の噴射は停止する。図１（２）に示した状態のブラシロール浄化工程では、ブラシロール２２に付着した汚れや洗浄液がスクレーパ２８によって掻き落とされ、ブラシロール２２が浄化される。掻き落とされた汚れや洗浄液はブラシロール２２の回転方向と同方向に飛んで受皿３０に向かって落下し、受皿３０に円滑に回収される。このため、除去した汚れや洗浄液が上方に飛散して、装置内部やスクレーパ２８上に堆積し汚染を招く事態を防止する。
【００１７】
ブラシロール浄化工程が終了するとブランケット洗浄装置１２全体を図示しない駆動機構によって矢印Ｂ方向に横移動させて、図１（１）に示したように再びブラシロール２２をブランケット胴１０に接した状態にする。以降、上記したブランケット洗浄工程とブラシロール浄化工程を数回繰り返すことによって、ブランケット胴の洗浄が完了する。
【００１８】
この第１実施形態によるブランケット洗浄方法及び装置によれば、ブランケット洗浄工程ではスクレーパ２８を非食い込み状態にしたブラシロール２２によってブランケット胴１０をブラシ洗浄するので、洗浄液がスクレーパ２８によって掻き落とされることがなく、洗浄液の使用量が少ない効率のよいブランケット洗浄を行うことができる。また、ブラシロール浄化工程ではブラシロール２２をブランケット胴１０から離間させるので、この間のブラシロール１０に植毛されたブラシ繊維の磨耗、へたりを軽減でき、ブラシロール１０の寿命を延ばすことができる。また、ブランケット洗浄工程とブラシロール浄化工程がそれぞれ独立しているので、各工程に必要な時間を最適な任意の値に設定できる。
【００１９】
また、スクレーパ２８を揺動自在とし、ブラシロール２２をブランケット胴１０から接触させると、リンク機構によってスクレーパ２８が自律的にブラシロール２２に対して非食い込み位置となり、ブラシロール２２をブランケット胴１０から離間させると、リンク機構によってスクレーパ２８が自律的にブラシロール２２に対して食い込み位置となるように構成した。このため、スクレーパ２８を非食い込み位置又は食い込み位置に切り替えるための駆動機構の単純化を図ることができる。
【００２０】
したがって、この実施形態によるブランケット洗浄方法及び装置は、例えば図２に示すような片面４色刷サテライト型オフセット印刷機１４の１色目ブランケット胴や２色目ブランケット胴などの洗浄方法及び装置として特に有効である。
【００２１】
図３は本発明の第２実施形態を示す側断面図であり、図３（１）はブランケット洗浄工程、図３（２）はブラシロール浄化工程の状況を示している。この実施形態はブランケット胴の回転方向が図１とは逆の場合である。基本的には図１に示した構成と同様であるので、対応する部分には同一符号を付し、それらの説明を省略する。この実施形態ではブランケット胴１０の回転方向に対応して、ブラシロール２２の回転方向がブランケット洗浄工程では図１とは逆に右回転させる。また、ブラシロール浄化工程では掻き落した汚れや洗浄液が受皿３０に円滑に落下するように、すなわち、ブラシロール２２がスクレーパ２８に対して上方から下方に向かう回転となるように、ブラシロール２２をブランケット洗浄工程と同様、右回転させる。このため、工程毎にブラシロール２２の回転方向の切替えを必要とせず、図１に示した場合に比べてブラシロール回転駆動系の単純化を図ることができる。
【００２２】
この第２実施形態も前記第１実施形態と同様の作用効果を奏することができ、例えば図２に示した片面４色刷サテライト型オフセット印刷機１４の３色目ブランケット胴１０Ｃや４色目ブランケット胴１０Ｄ用の洗浄方法及び装置として好適である。したがって、片面４色刷サテライト型オフセット印刷機１４の１，２色目ブランケット胴用として第１実施形態に示したものを、３，４色目ブランケット胴用としてこの第２実施形態に示したものを採用すれば、装置構成の大部分を共通化したブランケット洗浄装置を装備することが可能となり、装置設計や製作の効率化を図ることができる。
【００２３】
図４は本発明の第３実施形態を示す側断面図である。ブランケット洗浄装置１２Ａ内には前記各実施形態と同様にブラシロール２２Ａ、洗浄液供給手段２４Ａ、スクレーパ２８Ａが配設されている。ただし、ブラシロール２２Ａはブランケット洗浄装置１２Ａの内部で左右方向に往復移動可能とされ、また、スクレーパ２８Ａは定位置に固定されている。
【００２４】
ブランケット洗浄工程ではブラシロール２２Ａの中心を位置ａにして、ブランケット胴１０にブラシロール２２Ａを押し付ける。この状態ではブラシロール２２Ａとスクレーパ２８Ａは離反しており、スクレーパ２８Ａはブラシロール２２Ａに対して非食い込み状態である。ブラシロール２２Ａをブランケット胴１０に対して逆回転モードで回転させつつ、洗浄液供給手段２４Ａから洗浄液をブラシロール２２Ａに噴射することによって、ブランケット洗浄が効率よく進行する。
【００２５】
ブラシロール浄化工程ではブラシロール２２Ａのみを右方向に寸法ｅだけ移動させ、その中心を位置ｂにする。その結果、ブラシロール２２Ａはブランケット胴１０から離間するとともに、スクレーパ２８Ａの先端がブラシロール２２Ａに対して食い込み状態になる。この状態でブラシロール２２Ａの回転を継続しつつ、洗浄液供給手段２４Ａから洗浄液を停止する。すると、ブラシロール２２Ａに付着した汚れがスクレーパ２８Ａによって掻き落とされ、ブラシロール２２Ａは次のブランケット洗浄工程に使用されるように浄化される。
【００２６】
この第３実施形態によれば、ブラシロール２２Ａをブランケット洗浄装置１２Ａ内で左右に往復移動させる簡単な操作で、ブラシロール２２Ａのブランケット胴１０に対する接離動作とスクレーパ２８Ａの食い込み位置切替え動作を同時に行うことができる。また、スクレーパ２８Ａの食い込み位置切替えはブラシロール２２Ａの回転方向に関係なく実施できるので、ブラシロール２２Ａの逆回転モードを継続したままで、ブランケット洗浄工程とブラシロール浄化工程を容易に切替えできる利点がある。
【００２７】
図５は本発明の第４実施形態を示す側断面図である。本実施形態ではスクレーパ２８Ｂがブラシロール２２Ｂに対して左下方に配置されている。この例では図５（１）のブランケット洗浄工程では第１実施形態と同様にブランケット胴１０に対して逆回転モードとなるようにブラシロール２２Ｂを左回転させる。また、図５（２）のブラシロール浄化工程では、スクレーパ２８Ｂによって除去した汚れ及び洗浄液が受皿３０Ｂに回収され易いように、ブランケット洗浄工程と同様、ブラシロール２２Ｂを左回転させる。
【図面の簡単な説明】
【００２８】
【図１】本発明の第１実施形態を示す側断面図である。
【図２】本発明が適用される印刷機を例示した説明図である。
【図３】本発明の第２実施形態を示す側断面図である。
【図４】本発明の第３実施形態を示す側断面図である。
【図５】本発明の第４実施形態を示す側断面図である。
【符号の説明】
【００２９】
１０………ブランケット胴、１２，１２Ａ………ブランケット洗浄装置、１４………片面４色刷サテライト型オフセット印刷機、１６………圧胴、１８………版胴、２０………紙面、２２，２２Ａ，２２Ｂ………ブラシロール、２４，２４Ａ………洗浄液供給手段、２６………支軸、２８，２８Ａ，２８Ｂ………スクレーパ、３０，３０Ｂ………受皿。
【図１】
2006150756.tif 000003
【図２】
2006150756.tif 000004
【図３】
2006150756.tif 000005
【図４】
2006150756.tif 000006
【図５】
2006150756.tif 000007